(57)【特許請求の範囲】
【請求項１】
内部においてガス上部に液体が分離されて積層できるように内径が２〜７mmの細い管で形成されたシリンダー；
シリンダーの下端部の一側に連結部を介して連結され、外部から供給されるガスがシリンダー内部に流入できるようにする流入チェック弁；及び
シリンダー下端に結合され、シリンダー内部で上方に延長され、上端が流入チェック弁の連結部より２mm下の地点〜流入チェック弁の連結部より５mm上の地点の間に位置された針；を含み、
シリンダーの下端部には針本体が結合され、流入チェック弁の連結部は針本体の上方に位置され、針は針本体を貫いてその上端が流入チェック弁の連結部の下端より２mm下の地点〜流入チェック弁の連結部の上端より５mm上の地点の間に位置されたことを特徴とする真皮再生用注射器。
【請求項２】
流入チェック弁に繋がったガス供給部；をさらに含むことを特徴とする請求項１に記載の真皮再生用注射器。
【請求項３】
シリンダーに挿入されたピストン；をさらに含むことを特徴とする請求項１に記載の真皮再生用注射器。
【請求項４】
ピストンの下端には針の上端が挿入される挿入溝が形成されたことを特徴とする請求項３に記載の真皮再生用注射器。
【請求項５】
ピストンは下死点で下端面がシリンダー下端に密着され、針の上端は挿入溝に挿入されることを特徴とする請求項４に記載の真皮再生用注射器。
【発明の詳細な説明】
【技術分野】
【０００１】
本発明は、皮膚の真皮層にガスと液体を所望の量だけ持続的に相互に注入されるようにする真皮再生用注射器に関する。
【背景技術】
【０００２】
一般的に真皮は脊椎動物の皮膚の中で上皮と皮下組織の間の部分であって、中胚葉から発生し、厚さ０.３〜２.４mmの纎維性結合組織からなっているが、ここには汗腺、毛嚢、脂線などがあり、皮膚の生理的機能の大半はここで起きる。
【０００３】
皮膚老化の特徴的症状は、上皮にしわができることである。しわは真皮の細胞外基質(extracelleur matrix)の漸進的退縮によって真皮が薄くなり、また弾力が失われることでその上部の上皮が屈曲されて生じるものである。医学的に説明すれば、皮膚が老化することにつれ、真皮層にヒアルロン酸(Hyaluronic acid：HA)の量が減少し、コラーゲンマトリックス(collagen matrix)の分節(fragmentation)による機械的緊張(mechanical tension)の減少によって繊維芽細胞の伸張形態が崩壊され、これによりコラーゲンの生産減少と退行が進められて真皮が老化されるし、その結果、その上部の皮膚にしわができる。
皮膚の上皮に形成されるしわをとり除くためには、弾力を失った上皮を引っ張って切り捨てる外科的手術や、上皮を微細に損傷させることで皮膚が再生されるようにする化学はく皮術などの侵襲的方法が使われることもあるが、このような侵襲的方法は副作用が多いという短所がある。
【０００４】
一方、筋肉を一定期間麻痺させることでしわができないようにするボトックス注射法や、真皮下層にフィラー(filler)を注入するなどの非侵襲的方法がある。ボトックス注射法の場合、效果が限時的(５〜６ヶ月)という短所があり、ボトックスは筋肉が動かないようにすることで、筋肉の動きにより皮膚が折られて生じるしわを止めることはできるが、皮膚の弾力を多く失うため筋肉の収縮がない時も既にできているしわは解決できない限界があり、真皮層にフィラー(Filler)を注入する方法は、しわの真下の真皮層に正確、且つ、均一な量を注入することが現実的に不可能で、デコボコした不規則面が作られるため行い難いし、フィラーも６〜９ヶ月後には吸収され、やはり效果が限時的であるという短所があった。
【０００５】
ＫＲ１０-２０１２-００１３２７１Ａ"真皮再生用注射器及び施術方法"は、本発明者の出願であって、当該技術の場合、しわが寄った皮膚の真皮層に二酸化炭素などのガスを注入することで、真皮層部位にガスが広く拡散しながら微細な分離損傷を加え、これによって形成された分離空間に、水に希釈したヒアルロン酸やコラーゲン水溶液などの液体を注射するための注射器を提示している。
【０００６】
このような方法で皮膚の真皮層または真皮下層にガスと液体を相互に注射すれば、真皮層の毛細管の血流が増加し、活発なコラーゲン組職の切り替えが誘導されて広い部位の真皮層に新しいコラーゲンが生産されるし、緻密な纎維配列が形成されることで、上部皮膚の上皮のしわがなくなったり薄くなる。この方法は副作用がなく、しわ取りの效果が長期間維持される長所がある。
【０００７】
それだけでなく、今まで研究してきた結果、この施術法はしわの治療だけでなく、フラクショナルレーザー、はく皮術、ケミカルピーリング、残痕除去術など、既存の如何なる施術法をもっても解決できなかった裂傷陷沒残痕、水痘残痕、にきびの残痕、窪んだ爪痕など様々な形態の陷沒残痕を簡単に治療できる卓越な效果が確認された。
【０００８】
しかし、このような注射器によっても、シリンダー下部と注射針が結合される地点には常に液体が残存する死空間が存在する問題があった。つまり、チェック弁は注射器のシリンダーに設けられるため、針の上端とチェック弁の間には常に液体がたまっていて、ガスが先に流入されることができなかった。
【０００９】
よって、初期製作時に液体が満たされた注射器にチェック弁を介してガスを注入してもチェック弁の下端から注射針までの死空間には常に液体が存在するようになり、それによって侵襲した後ピストンを押し入れ始める時、ガスが真皮に注入されることではなく一部の液体が注入されて完璧な施術效果が具現できない問題があった。
これにより、死空間を最小化することで初期ピストンの加圧時からガスだけが真皮に注入される方法が切実に必要であった。
【００１０】
上記の背景技術として説明された事項は、本発明の背景に対する理解を増進するためのものであって、本技術分野において通常の知識を有する者に既に知られた従来技術に当たることを認めるものとして受け入れられてはならない。
【発明の開示】
【発明が解決しようとする課題】
【００１１】
本発明は、真皮再生用注射器において、シリンダー下端とチェック弁の間の死空間を最小化することで初期ピストンの加圧時からガスだけが真皮に注入されるようにすることができ、液体注入後にガスを繰り返して注射する場合、またはガス注入後に液体を繰り返して注射する場合も死空間に残存液体或はガスが残らないようにする真皮再生用注射器を提供することにその目的がある。
【課題を解決するための手段】
【００１２】
上記の目的を達成するための本発明による真皮再生用注射器は、内部においてガス上部に液体が分離されて積層できるように内径が２〜７mmの細い管で形成されたシリンダー；シリンダーの下端部の一側に設けられ、外部から供給されるガスがシリンダー内部に流入できるようにする流入チェック弁；及びシリンダー下端に結合され、上端が流入チェック弁の連結部より２mm下の地点〜流入チェック弁の連結部より５mm上の地点の間に位置された針；を含む。
【００１３】
シリンダーの下端部には針本体が結合され、流入チェック弁の連結部は針本体の上方に位置され、針は針本体を貫いてその上端が流入チェック弁の連結部の下端より２mm下の地点〜流入チェック弁の連結部の上端より５mm上の地点の間に位置されることができる。
針本体には針を包んで針と針本体の内周面の間を満たす詰め部が設けられることができる。
【００１４】
針は上端が詰め部を貫いて上方へ突出されることができる。
流入チェック弁に繋がったガス供給部；をさらに含むことができる。
シリンダーに挿入されたピストン；をさらに含むことができる。
ピストンの下端には針の上端が挿入される挿入溝が形成されることができる。
ピストンは下死点で下端面がシリンダー下端に密着され、針の上端は挿入溝に挿入されることができる。
【００１５】
本発明の他の真皮再生用注射器は、内部においてガス上部に液体が分離されて積層できるように内径が２〜７mmの細い管で形成されたシリンダー；シリンダーの下端部の一側に設けられ、外部から供給されるガスがシリンダー内部に流入できるようにする流入チェック弁；及びシリンダー下端に設けられ、上端が流入チェック弁の連結部より２mm下の地点〜流入チェック弁の連結部より５mm上の地点の間に位置された針の流路；を含む。
【００１６】
また、他の真皮再生用注射器は、内部においてガス上部に液体が分離されて積層できるように内径が２〜７mmの細い管で形成されたシリンダー；シリンダーの下端部の一側に設けられ、外部から供給されるガスがシリンダー内部に流入できるようにする流入チェック弁；及びシリンダー下端に設けられ、上端がシリンダー内部で流入チェック弁の連結部に対応される高さまで延長して形成された針の流路；を含む。
【発明の効果】
【００１７】
上述のような構造からなった真皮再生用注射器によれば、シリンダー下端とチェック弁の間の死空間を最小化することで、初期ピストンの加圧時からガスだけが真皮に注入されるようになる。これにより、真皮の内側には完全にガス−液体−ガスの順に繰り返して注入することが可能となる。
【００１８】
また、最終的に液体を全て使うことになる最終段階では、シリンダーに残っている液体を全て使用できるようになるので、比較的に値段の高い治療液体を一切残さず使うことができる長所がある。
【図面の簡単な説明】
【００１９】
【図１】本発明の実施例による真皮再生用注射器の作動過程を示した図面。
【図２】本発明の実施例による真皮再生用注射器の作動過程を示した図面。
【図３】本発明の実施例による真皮再生用注射器の作動過程を示した図面。
【図４】本発明の実施例による真皮再生用注射器の作動過程を示した図面。
【図５】本発明の実施例による真皮再生用注射器の作動過程を示した図面。
【発明を実施するための最良の形態】
【００２０】
以下、添付した図面を参照して本発明の好ましい実施例について察してみる。
【００２１】
図１ないし図５は本発明の実施例による真皮再生用注射器の作動過程を示した図面であって、本発明による真皮再生用注射器は、内部においてガスＧの上部に液体Ｌが分離されて積層できるように内径が２〜７mmの細い管で形成されたシリンダー１００；シリンダー１００の下端部の一側に設けられ、外部から供給されるガスがシリンダー１００内部に流入できるようにする流入チェック弁３００；及びシリンダー１００下端に結合され、上端が流入チェック弁３００の連結部３２０より２mm下の地点〜流入チェック弁３００の連結部３２０より５mm上の地点の間に位置された針２００；を含む。
【００２２】
本発明の注射器は一般的な注射器のように、シリンダー１００、その内部のピストン５００及び針２００で構成される。但し、シリンダー１００の場合、内部に満たされる液体Ｌの表面張力と粘度を利用しなければならないため、内径が２〜７mmの細い管で形成される。ピストン５００はヘッドと支持台５２０で構成される。
【００２３】
具体的に、図１のように本発明のシリンダー１００にはその下端に針２００が設けられる。針２００はシリンダー１００の下端部に挿入されて結合されるが、その上端が流入チェック弁３００の連結部３２０より２mm下の地点〜流入チェック弁３００の連結部３２０より５mm上の地点の間に位置されるようにする。
【００２４】
シリンダー１００の下端部の一側には流入チェック弁３００が設けられ、外部から供給されるガスがシリンダー１００内部に流入できるようにする。チェック弁の場合、一側だけに流体を通過させる特性があるのでシリンダー１００の内部では外部へ流体が通過されないが、シリンダー１００の外部では流入チェック弁３００を介して内部へガスＧが通過できるようにする。これにより、ガスＧはシリンダー１００内部で流入チェック弁３００を通じて充電され、針２００を通じて真皮に吐出される。
【００２５】
図１は初期にシリンダー１００の内部に液体Ｌが充填された状態を示す。液体Ｌの場合、水に希釈したヒアルロン酸やコラーゲン水溶液などが充填されることで、ガスＧが充填された真皮の空間に注入される。この場合、製造工程を通じてシリンダー１００下端とピストン５００の間に生じる空間には施術用液体のみが満たされるようにする。
【００２６】
その後、図２のように流入チェック弁３００を介してガスＧをシリンダー１００の内部に充填する。この時、外部のガスはガス供給部４００で供給されるが、ガス供給部４００は大気圧以上の一定した圧力を維持することができ、使用者がピストン５００を引っ張る場合、引っ張られる体積によってガスＧが流入チェック弁３００に沿ってシリンダー１００の内部に図２のように充填されるようにする。ここで、針２００の上端は流入チェック弁３００の連結部３２０が位置される地点に対応されるように設けられることが好ましいが、その理由は施術を始める時、真皮には液体ＬでなくガスＧのみが優先的に注入されなければならないため、このように針２００の上端を限定する場合、針２００の上端からガスＧが満たされるし、それによってピストン５００を最初加圧する時、ガスＧが優先的に針２００を通じて吐出されるためである。
【００２７】
また、シリンダー１００の内径は２〜７mmに限定されるため、満たされた液体Ｌの表面張力と内部の粘度によってガスＧが注入されてもガスＧが液体Ｌを押し上げて液体Ｌが上部に位置されてガスＧが下部に位置されるし、次に針２００の上端が位置されるようにする。
【００２８】
このような状態で図３のようにピストン５００を加圧する場合、針２００を通じてガスＧが先に注入される。ガスＧを全て注入した後は液体Ｌを一部注入し、皮膚の他の部位に針２００を侵襲した後、再度図２のようにガスＧを充填し、充填されたガスＧを図３のように真皮に押し入れ、再び液体Ｌを図４のように注入する過程を繰り返すことで真皮再生を施術する。
【００２９】
すなわち、ガスＧ充填−ガスＧ注入−液体Ｌ注入−ガスＧ充填−ガス注入−液体Ｌ注入の過程を繰り返して行うことである。
【００３０】
そのような施術の最終段階で液体Ｌがほとんど全て消尽された場合には、図４のように最後に液体Ｌを注入する過程を行う。そして、この場合ピストン５００の下端には針２００の上端が挿入される挿入溝５４０が形成されるが、ピストン５００を最後まで加圧してピストン５００が下死点に至った場合、図５のようにピストン５００下端面がシリンダー１００下端に密着され、針２００の上端は挿入溝５４０に挿入されることで、最後の液体Ｌまで全て皮膚に注入して施術を仕上げられるようになる。
【００３１】
注入される液体Ｌは水に希釈したヒアルロン酸やコラーゲン水溶液などであるが、そのコストに相当負担を感じる患者がいるので、液体Ｌを残さず全て消尽させることで施術価格が安くなる長所がある。
【００３２】
さらに、ピストン５００下端とシリンダー１００下端の形状をマッチングされるように一致させる場合、針２００の上端以下に残っている全ての液体を吐出させられるようになる。同時に、シリンダー１００の下端部には針本体２２０が結合され、針本体２２０には針を包んで針２００と針本体２２０の内周面の間を満たす詰め部２２２が設けられることができ、この場合詰め部２２２によって針本体２２０には死空間がなくなり、液体Ｌはシリンダー１００下端と針本体２２０の間にだけ満たされることで、図５のように残っている液体Ｌが全て吐出できるようにする。
【００３３】
一方、流入チェック弁３００の連結部３２０は針本体２２０の上方に位置され、針２００は針本体２２０を貫いてその上端が流入チェック弁３００の連結部３２０下端より２mm下の地点〜流入チェック弁３００の連結部３２０の上端より５mm上の地点の間に位置されることができるが、流入チェック弁３００の連結部３２０下端から２mmを超えるように下に位置される場合は、死空間によって最初注入する時ガスではなく液体が先に注入される問題があり、流入チェック弁３００の連結部３２０上端から５mmを超えて上に位置される場合は、針２００の上端と流入チェック弁３００の連結部３２０の間の死空間に残余ガスが残り過ぎる問題があり、それによってガスが一定水準以上圧縮された後は、残存するガスの耐圧によって残存ガスがクッションの役目をするための液体の注入量を精密に調節し難しい問題がある。
【００３４】
したがって、針２００の上端は流入チェック弁３００の連結部３２０下端より２mm下の地点〜流入チェック弁３００の連結部３２０上端より５mm上の地点の間に位置されることが好ましくて、シリンダー１００の内部へ突出された針２００の上端は、全てピストン５００の挿入溝５４０に挿入されるようにすることで、最初注入する時はガスＧだけが吐出されるし、最後に注入する時は液体Ｌが残らず全て吐出されるようにすることが好ましい。
【００３５】
本発明の他の真皮再生用注射器は、内部においてガスＧの上部に液体Ｌが分離されて積層できるように内径が２〜７mmの細い管で形成されたシリンダー１００；シリンダー１００の下端部の一側に設けられ、外部から供給されるガスＧがシリンダー１００内部に流入できるようにする流入チェック弁３００；及びシリンダー１００下端に設けられ、上端が流入チェック弁３００の連結部３２０より２mm下の地点〜流入チェック弁３００の連結部３２０より５mm上の地点の間に位置された針の流路；を含む。
【００３６】
すなわち、針２００の上端は上方に延長された別途の連結管などを介してシリンダー１００の内部で上方に延長されることができるし、この場合連結管は針２００と一体となって針流路を形成するようにし、実質的に針２００の上端の役目をするようにすることもできる。
【００３７】
上述のような構造からなる真皮再生用注射器によれば、シリンダー下端とチェック弁の間の死空間を最小化することで、初期ピストンの加圧時からガスだけが真皮に注入されるようにすることができる。これによって、真皮の内側には完全にガス−液体−ガスの順に注入することが可能となる。
【００３８】
また、針の上端は流入チェック弁の下端より２mm下の地点〜流入チェック弁の上端より５mm上の地点の間に位置され、初期注入する時の液体の吐出を防ぐことで残余ガスを最小限にし、正確な量の液体を吐出することに問題がないようにすることができる。
そして、最終的に液体を全て使うようになる最終段階では、シリンダーに残っている液体を全て使えるようになることで、比較的に値段の高い治療液体を残さず全て使える長所がある。
【００３９】
本発明は特定の実施例に関して図示して説明したが、以下の特許請求範囲によって提供される本発明の技術的思想を脱しない限度内で、本発明が多様に改良及び変化されることができることは、当業界において通常の知識を有する者に自明であろう。
【図１】
0006291086.tif 000002
【図２】
0006291086.tif 000003
【図３】
0006291086.tif 000004
【図４】
0006291086.tif 000005
【図５】
0006291086.tif 000006